【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
撮像面を有し、撮像面に入射した光から画像信号を生成する撮像素子と、
前記撮像素子に向けて集光するフォーカスレンズを含むレンズ光学系と、
被写体側で焦点の合う位置が変化するように、前記撮像素子または前記フォーカスレンズの一方を駆動する駆動部と、
前記撮像素子または、前記レンズ光学系と前記撮像素子との間の少なくとも一方に設けられたシャッターと、
前記シャッターおよび前記駆動部を制御する制御ユニットと、
を備え、
前記制御ユニットは、被写体距離の異なる所定の第１、第２および第３の合焦位置にそれぞれ焦点が合うように、前記撮像素子または前記フォーカスレンズを駆動し、前記撮像素子によって、前記第１、第２および第３の合焦位置における第１、第２および第３の被写体画像による画像信号を得られるように、前記シャッターおよび前記駆動部を制御する、撮像装置。
【請求項２】
前記制御ユニットは、前記撮像素子の画像フレームごとに前記第１の被写体画像、前記第２の被写体画像または前記第３の被写体画像のいずれかを前記撮像素子が生成するように、前記シャッターおよび前記駆動部を制御する請求項１に記載の撮像装置。
【請求項３】
前記制御ユニットは、
各画像フレームの一部期間において、前記第１の被写体画像、前記第２の被写体画像または前記第３の被写体画像が得られるように前記シャッターの開閉を制御し、
前記各画像フレームの他の期間において、合焦位置が、前記第１の合焦位置と前記第２の合焦位置との間、または、前記第２の合焦位置と前記第３の合焦位置との間で移動するように、前記駆動部を制御する請求項１に記載の撮像装置。
【請求項４】
前記第１の合焦位置は前記第２の合焦位置と前記第３の合焦位置との間に存在し、
前記制御ユニットは、前記第１の被写体画像が１画像フレームおきに撮影され、前記第２の被写体画像および前記第３の被写体画像が交互に、かつ、１画像フレームおきに撮影されるように前記シャッターおよび前記駆動部を制御する請求項１に記載の撮像装置。
【請求項５】
前記第１、第２および第３の合焦位置に前記フォーカスレンズが合焦している場合において、前記駆動される撮像素子または前記フォーカスレンズは、それぞれ、第１、第２および第３の駆動位置にあり、
前記制御ユニットは、前記第１の駆動位置と前記第２の駆動位置との距離、および、前記第１の駆動位置と前記第３の駆動位置との距離が互いに等しくなるように、前記第２および第３の駆動位置を決定する請求項１に記載の撮像装置。
【請求項６】
前記第１および第３の合焦位置に前記フォーカスレンズが合焦している場合において、前記駆動される撮像素子または前記フォーカスレンズは、それぞれ、第１および第３の駆動位置にあり、
前記フォーカスレンズが最短撮影距離で合焦している場合において、前記駆動される撮像素子または前記フォーカスレンズは第４の駆動位置にあり、
前記制御ユニットは、前記第１の駆動位置と前記第３の駆動位置との距離よりも前記第１の駆動位置と前記第４の駆動位置との距離が短い場合、前記第４の駆動位置に前記駆動される撮像素子または前記フォーカスレンズを移動させて、前記第２の被写体画像による画像信号が前記撮像素子によって得られるように、前記駆動部を制御する請求項１に記載の撮像装置。
【請求項７】
前記第１および第２の合焦位置に前記フォーカスレンズが合焦している場合において、前記駆動される撮像素子または前記フォーカスレンズは、それぞれ、第１および第２の駆動位置にあり、
前記フォーカスレンズが無限遠に合焦している場合において、前記駆動される撮像素子または前記フォーカスレンズは第５の駆動位置にあり、
前記制御ユニットは、前記第１の駆動位置と前記第２の駆動位置との距離よりも前記第１の駆動位置と前記第５の駆動位置との距離が短い場合、前記第５の駆動位置に前記駆動される撮像素子または前記フォーカスレンズを移動させて、前記第３の被写体画像による画像信号が前記撮像素子によって得られるように、前記駆動部を制御する請求項１に記載の撮像装置。
【請求項８】
前記第１、第２および第３の合焦位置に前記フォーカスレンズが合焦している場合において、前記駆動される撮像素子または前記フォーカスレンズは、それぞれ、第１、第２および第３の駆動位置にあり、
前記制御ユニットは、ユーザーからの指令に基づき、前記第１の駆動位置と前記第２の駆動位置との距離および前記第１の駆動位置と前記第３の駆動位置との距離が１：１から８：２の間の比率または１：１から２：８の比率となるように、前記第２および第３の駆動位置を決定する請求項１に記載の撮像装置。
【請求項９】
前記１画像フレームおきに撮影された第１の被写体画像によって構成される動画像との信号と、
前記第１、第２および第３の被写体画像に基づいて、前記１画像フレームおきに撮影された第１の被写体画像における距離情報に関する信号と
を生成する信号処理部をさらに備える請求項４に記載の撮像装置。
【請求項１０】
前記制御ユニットは、ユーザーからの指令またはオートフォーカス機能に基づく前記第１の合焦位置の変化に応じて前記第２および第３の合焦位置を設定する請求項１に記載の撮像装置。
【請求項１１】
撮像面を有し、撮像面に入射した光から画像信号を生成する撮像素子と、前記撮像素子に向けて集光するフォーカスレンズを含むレンズ光学系と、被写体側で焦点の合う位置が変化するように、前記撮像素子または前記フォーカスレンズの一方を駆動する駆動部と、前記撮像素子または、前記レンズ光学系と前記撮像素子との間の少なくとも一方に設けられたシャッターとを備えた撮像装置の半導体集積回路であって、
被写体距離の異なる所定の第１、第２および第３の合焦位置にそれぞれ焦点が合うように、前記撮像素子または前記フォーカスレンズを駆動し、前記撮像素子によって、前記第１、第２および第３の合焦位置における第１、第２および第３の被写体画像による画像信号を得られるように、前記シャッターおよび前記駆動部を制御する、半導体集積回路。
【請求項１２】
前記撮像素子の画像フレームごとに前記第１の被写体画像、前記第２の被写体画像または前記第３の被写体画像のいずれかを前記撮像素子が生成するように、前記シャッターおよび前記駆動部を制御する請求項１１に記載の半導体集積回路。
【請求項１３】
各画像フレームの一部期間において、前記第１の被写体画像、前記第２の被写体画像または前記第３の被写体画像が得られるように前記シャッターの開閉を制御し、
前記各画像フレームの他の期間において、合焦位置が、前記第１の合焦位置と前記第２の合焦位置との間、または、前記第２の合焦位置と前記第３の合焦位置との間で移動するように、前記駆動部を制御する請求項１１に記載の半導体集積回路。
【請求項１４】
前記第１の合焦位置は前記第２の合焦位置と前記第３の合焦位置との間に存在し、
前記第１の被写体画像が１画像フレームおきに撮影され、前記第２の被写体画像および前記第３の被写体画像が交互に、かつ、１画像フレームおきに撮影されるように前記シャッターおよび前記駆動部を制御する請求項１１に記載の半導体集積回路。
【請求項１５】
前記第１、第２および第３の合焦位置に前記フォーカスレンズが合焦している場合において、前記駆動される撮像素子または前記フォーカスレンズは、それぞれ、第１、第２および第３の駆動位置にあり、
前記第１の駆動位置と前記第２の駆動位置との距離、および、前記第１の駆動位置と前記第３の駆動位置との距離が互いに等しくなるように、前記第２および第３の駆動位置を決定する請求項１１に記載の半導体集積回路。
【請求項１６】
入射した光から画像信号を生成する撮像素子の撮像面に、フォーカスレンズを含むレンズ光学系を介して、撮像素子または、前記レンズ光学系と前記撮像素子との間の少なくとも一方に設けられたシャッターによるタイミングで露光することにより、撮像シーンを結像させる撮像方法であって、
被写体距離の異なる所定の第１、第２および第３の合焦位置にそれぞれ焦点が合うように、前記撮像素子または前記フォーカスレンズを駆動し、前記撮像素子によって、前記第１、第２および第３の合焦位置における第１、第２および第３の被写体画像による画像信号を得られるように、前記撮像素子または前記フォーカスレンズの一方を駆動する撮像方法。
【請求項１７】
前記撮像素子の画像フレームごとに前記第１の被写体画像、前記第２の被写体画像または前記第３の被写体画像のいずれかを前記撮像素子が生成するように、前記シャッターを制御し、前記撮像素子または前記フォーカスレンズの一方を駆動する請求項１６に記載の撮像方法。
【請求項１８】
各画像フレームの一部期間において、前記第１の被写体画像、前記第２の被写体画像または前記第３の被写体画像が得られるように前記シャッターの開閉を制御し、
前記各画像フレームの他の期間において、合焦位置が、前記第１の合焦位置と前記第２の合焦位置との間、または、前記第２の合焦位置と前記第３の合焦位置との間で移動するように、前記撮像素子または前記フォーカスレンズの一方を駆動する請求項１６に記載の撮像方法。
【請求項１９】
前記第１の合焦位置は前記第２の合焦位置と前記第３の合焦位置との間に存在し、
前記第１の被写体画像が１画像フレームおきに撮影され、前記第２の被写体画像および前記第３の被写体画像が交互に、かつ、１画像フレームおきに撮影されるように前記シャッターを制御し、前記撮像素子または前記フォーカスレンズの一方を駆動する請求項１６に記載の撮像方法。
【請求項２０】
前記第１、第２および第３の合焦位置に前記フォーカスレンズが合焦している場合において、前記駆動される撮像素子または前記フォーカスレンズは、それぞれ、第１、第２および第３の駆動位置にあり、
前記第１の駆動位置と前記第２の駆動位置との距離、および、前記第１の駆動位置と前記第３の駆動位置との距離が互いに等しくなるように、前記第２および第３の駆動位置を決定する請求項１６に記載の撮像方法。